【手続補正書】
【提出日】平成18年6月22日(2006.6.22)
【手続補正１】
【補正対象書類名】明細書
【補正対象項目名】発明の名称
【補正方法】変更
【補正の内容】
【発明の名称】画像再生装置及びその再生方法、画像記録再生装置及びその記録再生方法、並びにコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】  記録媒体から画像データを再生する再生手段と、
上記記録媒体の所定領域に記録されたアドレスに基づいて上記再生手段により再生された画像データからインデックス画像を抽出する抽出手段と、
上記抽出手段で抽出されたインデックス画像の縮小画像を上記再生手段により再生された画像データの再生画像と共に同一画面上に表示する表示制御手段とを設けたことを特徴とする画像再生装置。
【請求項２】  上記再生手段は、上記記録媒体から上記画像データを特殊再生することを特徴とする請求項１に記載の画像再生装置。
【請求項３】  上記表示制御手段は、上記抽出手段で抽出されたインデックス画像のＤＣ成分を用いて上記縮小画像を生成して表示することを特徴とする請求項１に記載の画像再生装置。
【請求項４】  上記画像データは、フレーム内符号化とフレーム間符号化とにより符号化された画像データであり、
上記インデックス画像は、フレーム内符号化された画像であることを特徴とする請求項１に記載の画像再生装置。
【請求項５】  上記表示制御手段は、上記インデックス画像を表示するかしないかを選択できることを特徴とする請求項１に記載の画像再生装置。
【請求項６】  上記表示制御手段は、所定の時間間隔で抽出されたインデックス画像を順次表示するか又はチャプターの代表を示すための画像として上記インデックス画像のうち任意の一枚を表示するかを選択できることを特徴とする請求項１に記載の画像再生装置。
【請求項７】  上記表示制御手段は、上記インデックス画像の全てを表示するか、上記インデックス画像の表示時間間隔を間引いて表示するかを選択できることを特徴とする請求項１に記載の画像再生装置。
【請求項８】  上記表示制御手段は、上記所定の時間間隔で抽出されたインデックス画像のうち、複数チャプター内のそれぞれにおいて、常にチャプター内の特定の位置のインデックス画像を上記チャプターの代表を示すための画像として表示することを特徴とする請求項６に記載の画像再生装置。
【請求項９】  記録媒体から画像データを再生する再生ステップと、
上記記録媒体の所定領域に記録されたアドレスに基づいて上記再生ステップにより再生された画像データからインデックス画像を抽出する抽出ステップと、
上記抽出ステップで抽出されたインデックス画像の縮小画像を上記再生ステップにより再生された画像データの再生画像と共に同一画面上に表示する表示制御ステップとを設けたことを特徴とする画像再生方法。
【請求項１０】  上記再生ステップは、上記記録媒体から上記画像データを特殊再生することを特徴とする請求項９に記載の画像再生方法。
【請求項１１】  上記表示制御ステップは、上記抽出ステップで抽出されたインデックス画像のＤＣ成分を用いて上記縮小画像を生成して表示することを特徴とする請求項９に記載の画像再生方法。
【請求項１２】  上記画像データは、フレーム内符号化とフレーム間符号化とにより符号化された画像データであり、
上記インデックス画像は、フレーム内符号化された画像であることを特徴とする請求項９に記載の画像再生方法。
【請求項１３】  上記表示制御ステップは、上記インデックス画像を表示するかしないかを選択できることを特徴とする請求項９に記載の画像再生方法。
【請求項１４】  上記表示制御ステップは、所定の時間間隔で抽出されるインデックス画像を順次表示するか又はチャプターの代表を示すための画像として上記インデックス画像のうち任意の一枚を上記チャプターの代表を示すための画像として表示するかを選択できることを特徴とする請求項９に記載の画像再生方法。
【請求項１５】  上記表示制御ステップは、上記インデックス画像の全てを表示するか、上記インデックス画像の表示時間間隔を間引いて表示するかを選択できることを特徴とする請求項９に記載の画像再生方法。
【請求項１６】  上記表示制御ステップは、上記所定の時間間隔で抽出されたインデックス画像のうち、複数のチャプター内のそれぞれにおいて、常にチャプター内の特定の位置のインデックス画像を上記チャプターの代表を示すための画像として表示することを特徴とする請求項１４に記載の画像再生方法。
【請求項１７】  フレーム内符号化とフレーム間符号化により符号化された画像データを記録媒体に記録すると共に、上記画像データにおけるフレーム内符号化画像の上記記録媒体上での記録アドレスをインデックス画像のアドレスとして上記記録媒体の所定領域に記録する記録手段と、
上記記録媒体から上記画像データを再生する再生手段と、
上記アドレスに基づいて上記再生手段により再生された画像データから上記インデックス画像を抽出する抽出手段と、
上記抽出手段で抽出されたインデックス画像の縮小画像を上記再生手段により再生された画像データの再生画像と共に同一画面上に表示する表示制御手段とを設けたことを特徴とする画像記録再生装置。
【請求項１８】  フレーム内符号化とフレーム間符号化により符号化された画像データを記録媒体に記録すると共に、上記画像データにおけるフレーム内符号化画像の上記記録媒体上での記録アドレスをインデックス画像のアドレスとして上記記録媒体の所定領域に記録する記録ステップと、
上記記録媒体から上記画像データを再生する再生ステップと、
上記アドレスに基づいて上記再生ステップにより再生された画像データから上記インデックス画像を抽出する抽出ステップと、
上記抽出ステップで抽出されたインデックス画像の縮小画像を上記再生ステップにより再生された画像データの再生画像と共に同一画面上に表示する表示制御ステップとを設けたことを特徴とする画像記録再生方法。
【請求項１９】  記録媒体から画像データを再生する再生処理と、
上記記録媒体の所定領域に記録されたアドレスに基づいて上記再生処理により再生された画像データからインデックス画像を抽出する抽出処理と、
上記抽出処理で抽出されたインデックス画像の縮小画像を上記再生処理により再生された画像データの再生画像と共に同一画面上に表示する表示制御処理とをコンピュータに実行させるためのプログラムを記憶したことを特徴とするコンピュータ読み取り可能な記憶媒体。
【請求項２０】  フレーム内符号化とフレーム間符号化により符号化された画像データを記録媒体に記録すると共に、上記画像データにおけるフレーム内符号化画像の上記記録媒体上での記録アドレスをインデックス画像のアドレスとして上記記録媒体の所定領域に記録する記録処理と、
上記記録媒体から上記画像データを再生する再生処理と、
上記アドレスに基づいて上記再生処理により再生された画像データから上記インデックス画像を抽出する抽出処理と、
上記抽出処理で抽出されたインデックス画像の縮小画像を上記再生処理により再生された画像データの再生画像と共に同一画面上に表示する表示制御処理とをコンピュータに実行させるためのプログラムを記憶したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、画像データをＭＰＥＧ圧縮してディスク媒体に記録・再生するディスク記録再生装置に用いて好適な画像再生装置及びその再生方法、画像記録再生装置及びその記録再生方法、並びにそれらに用いられるコンピュータ読み取り可能な記憶媒体に関するものである。
【手続補正４】
【補正対象書類名】明細書
【補正対象項目名】０００４
【補正方法】変更
【補正の内容】
【０００４】
【課題を解決するための手段】
上記の目的を達成するために、本発明による画像再生装置においては、記録媒体から画像データを再生する再生手段と、上記記録媒体の所定領域に記録されたアドレスに基づいて上記再生手段により再生された画像データからインデックス画像を抽出する抽出手段と、上記抽出手段で抽出されたインデックス画像の縮小画像を上記再生手段により再生された画像データの再生画像と共に同一画面上に表示する表示制御手段とを設けている。
【手続補正５】
【補正対象書類名】明細書
【補正対象項目名】０００５
【補正方法】変更
【補正の内容】
【０００５】
また、本発明による画像記録再生装置においては、フレーム内符号化とフレーム間符号化により符号化された画像データを記録媒体に記録すると共に、上記画像データにおけるフレーム内符号化画像の上記記録媒体上での記録アドレスをインデックス画像のアドレスとして上記記録媒体の所定領域に記録する記録手段と、上記記録媒体から上記画像データを再生する再生手段と、上記アドレスに基づいて上記再生手段により再生された画像データから上記インデックス画像を抽出する抽出手段と、上記抽出手段で抽出されたインデックス画像の縮小画像を上記再生手段により再生された画像データの再生画像と共に同一画面上に表示する表示制御手段とを設けている。
【手続補正６】
【補正対象書類名】明細書
【補正対象項目名】０００６
【補正方法】変更
【補正の内容】
【０００６】
また、本発明による画像再生方法においては、記録媒体から画像データを再生する再生ステップと、上記記録媒体の所定領域に記録されたアドレスに基づいて上記再生ステップにより再生された画像データからインデックス画像を抽出する抽出ステップと、上記抽出ステップで抽出されたインデックス画像の縮小画像を上記再生ステップにより再生された画像データの再生画像と共に同一画面上に表示する表示制御ステップとを設けている。
【手続補正７】
【補正対象書類名】明細書
【補正対象項目名】０００７
【補正方法】変更
【補正の内容】
【０００７】
また、本発明による画像記録再生方法においては、フレーム内符号化とフレーム間符号化により符号化された画像データを記録媒体に記録すると共に、上記画像データにおけるフレーム内符号化画像の上記記録媒体上での記録アドレスをインデックス画像のアドレスとして上記記録媒体の所定領域に記録する記録ステップと、上記記録媒体から上記画像データを再生する再生ステップと、上記アドレスに基づいて上記再生ステップにより再生された画像データから上記インデックス画像を抽出する抽出ステップと、上記抽出ステップで抽出されたインデックス画像の縮小画像を上記再生ステップにより再生された画像データの再生画像と共に同一画面上に表示する表示制御ステップとを設けている。
【手続補正８】
【補正対象書類名】明細書
【補正対象項目名】０００８
【補正方法】変更
【補正の内容】
【０００８】
また、本発明によるコンピュータ読み取り可能な記憶媒体においては、記録媒体から画像データを再生する再生処理と、上記記録媒体の所定領域に記録されたアドレスに基づいて上記再生処理により再生された画像データからインデックス画像を抽出する抽出処理と、上記抽出処理で抽出されたインデックス画像の縮小画像を上記再生処理により再生された画像データの再生画像と共に同一画面上に表示する表示制御処理とをコンピュータに実行させるためのプログラムを記憶している。
【手続補正９】
【補正対象書類名】明細書
【補正対象項目名】０００９
【補正方法】変更
【補正の内容】
【０００９】
また、本発明によるコンピュータ読み取り可能な記憶媒体においては、フレーム内符号化とフレーム間符号化により符号化された画像データを記録媒体に記録すると共に、上記画像データにおけるフレーム内符号化画像の上記記録媒体上での記録アドレスをインデックス画像のアドレスとして上記記録媒体の所定領域に記録する記録処理と、上記記録媒体から上記画像データを再生する再生処理と、上記アドレスに基づいて上記再生処理により再生された画像データから上記インデックス画像を抽出する抽出処理と、上記抽出処理で抽出されたインデックス画像の縮小画像を上記再生処理により再生された画像データの再生画像と共に同一画面上に表示する表示制御処理とをコンピュータに実行させるためのプログラムを記憶している。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００６０
【補正方法】変更
【補正の内容】
【００６０】
【発明の効果】
本発明によれば、再生時又は特殊再生時に、使用者が画面に表示されているインデックス画像、又はチャプター代表画像を確認することにより、現在どのシーンの画像データが再生されているのかを容易に判別することができる。
【手続補正１４】
【補正対象書類名】明細書
【補正対象項目名】００６１
【補正方法】変更
【補正の内容】
【００６１】
また、インデックス画像のＤＣ成分から縮小画像を生成して表示することにより、インデックス画像、チャプター代表画像を、非常に簡単で高速に再生処理することができるので、実現するためのハード構成を極めて小さくすることができる。